(57)【要約】【課題】本発明の目的は施設の利用者がデジタルカメラを持ち歩くことなく利用者の必要とする映像を得ることができる映像配信サービスシステムを提供することにある。【解決手段】施設内に配置したデジタルカメラ１００、１１０によって利用者を撮影したデジタル映像を映像データベース１４０に格納する。利用者が利用後に映像データベース１４０に格納されているデジタル映像を用いて編集端末装置１５０で編集した編集映像を映像配信サーバ１７０から指定された配信先にネットワーク４０を介して配信する。【選択図】  図１
2004164496.tif 000002
【特許請求の範囲】
【請求項１】
施設の利用者をデジタル映像で撮影する前記施設内に配置された撮影手段と、前記撮影手段で撮影したデジタル映像を格納する映像データベースと、前記映像データベースに格納されているデジタル映像を用いて前記利用者が前記デジタル映像を編集する編集端末手段と、前記利用者によって編集された編集映像を指定された配信先にネットワークを介して配信する映像配信手段とを具備することを特徴とする映像配信サービスシステム。
【請求項２】
施設の利用者の依頼により当該利用者をデジタル映像で撮影するために前記施設に配置されている複数台のデジタルカメラと、前記デジタルカメラで撮影した前記利用者に関するデジタル映像を格納する映像データベースと、前記利用者が前記映像データベースに格納されているデジタル映像を取込んで編集し、編集映像の配布先を指定する映像編集端末と、前記映像編集端末で編集された編集映像を格納する映像配信データベースと、前記編集映像を指定された配布形態で配信先にネットワークを介して配信する映像配信サーバとを具備することを特徴とする映像配信サービスシステム。
【請求項３】
施設の利用者の依頼により当該利用者をデジタル映像で撮影するために前記施設に配置されている複数台のデジタルカメラと、前記利用者が撮影位置に到達したことを検出するセンサと、前記センサが撮影位置に到達したことを検出すると前記デジタルカメラに前記利用者を撮影させる撮影制御装置と、前記デジタルカメラで撮影した前記利用者に関するデジタル映像を格納する映像データベースと、前記利用者が前記映像データベースに格納されているデジタル映像を取込んで編集し、編集映像の配布形態と配布先を指定する映像編集端末と、前記映像編集端末で編集された編集映像を格納する映像配信データベースと、前記編集映像を指定された配布形態で配信先にネットワークを介して配信する映像配信サーバとを具備することを特徴とする映像配信サービスシステム。
【請求項４】
請求項２または３において、前記複数台のデジタルカメラは前記利用者の静止画像と動画像のデジタル映像を撮影することを特徴とする映像配信サービスシステム。
【発明の詳細な説明】
【０００１】
【発明の属する技術分野】
本発明は、テーマパークなどの娯楽施設やスキー場などの施設で利用者をデジタルカメラで撮影したデジタル映像を配信する映像配信サービスシステムに関する。
【０００２】
【従来の技術】
【特許文献１】特開２００１−１９７４０７号公報
一般に、テーマパークなどの娯楽施設やスキー場などの施設を利用する利用者は記念写真を撮るようにしている。写真は持参したカメラかテーマパークなどの施設で借りたカメラで撮影している。カメラはデジタルカメラが多く用いられている。デジタルカメラとしては静止映像（静止画像）のデジタルスチルカメラや動画像のデジタルムービーカメラが用いられている。
利用者がカメラを持参することなく写真を撮れるようにするために、テーマパークなどの施設内でデジタルスチルカメラを貸し出して、撮影された画像をテーマパークなどの施設内に設置された写真サービスセンタでプリントアウトすることが提案されている。このことは上述の特許文献１に記載されている。
【０００３】
【発明が解決しようとする課題】
従来技術は、撮影を行うためにデジタルカメラを持ち歩く必要があり施設を利用する上で大変煩わしいものになっている。また、家族や友人といった２名以上での撮影は、第３者の協力が無いと全員を撮影することができず、特にデジタルムービーカメラを使った映像（動画像）の撮影は時間がかかることに加えてカメラ操作も複雑であるために撮影を第３者に依頼できず、撮影が事実上不可能であるという問題点を有する。
このため、テーマパークなどの施設の利用者がデジタルカメラを持ち歩くことなく利用者の必要とする映像（動画像あるいは動画像と静止画像）を撮影することができる技術の開発が強く要望されている。
本発明の目的は施設の利用者がデジタルカメラを持ち歩くことなく利用者の必要とする映像を得ることができる映像配信サービスシステムを提供することにある。
【０００４】
【課題を解決するための手段】
本発明の特徴とするところは、施設内に配置した撮影手段によって利用者を撮影したデジタル映像を映像データベースに格納し、利用者が利用後に映像データベースに格納されているデジタル映像を用いて編集した編集映像を指定された配信先にネットワークを介して配信するようにしたことにある。
換言すると、本発明は施設内に配置した撮影手段によって撮影したデジタル映像から利用者が必要とする映像を抽出して編集し、利用者本人の情報端末を含む指定された配信先に配信するものである。
本発明は利用者が施設内に配置した撮影手段によって撮影されたデジタル映像編集した編集映像を、利用者本人の情報端末を含む配信先に配信するようにしているので、デジタルカメラを持ち歩くことなく利用者の必要とする映像を得ることができる。
【０００５】
【発明の実施の形態】
以下、本発明の一実施例を図面を用いて説明する。
図１は本発明の一実施例を示す構成図である。
図１において、映像配信システム１０は、複数台のデジタルムービーカメラ１００、複数台のデジタルスチルカメラ１１０、複数のセンサ１２０、複数の撮影制御装置１３０、映像データベース１４０、複数台の編集端末装置１５０，ゲートウェイ装置１６０、映像配信サーバ１７０、映像配信データベース１８０およびネットワーク１９０にて構成されている。
【０００６】
映像データを受け取る購入者（施設利用者）のパソコン（情報端末）２０と購入者が指定した複数の受取り者のパソコン（情報端末）３０がインターネット（ネットワーク）４０を介して映像配信システム１０に接続されている。
【０００７】
利用者の動画像を撮影するデジタルムービーカメラ１００と撮影制御装置１３０または静止画像を撮影するデジタルスチルカメラ１１０と撮影制御装置１３０は、娯楽施設内のアトラクション設備の中のアトラクション利用者が撮影できる場所に設置される。例えば、図１０に示すように、施設利用者５０を含む家族の撮影は、アトラクション設備内を移動する乗り物６０が通過するのをセンサ１２０で検出し撮影制御装置１３０がデジタルムービーカメラ１００に撮影を開始させ、一定時間で撮影終了の指示を与えて映像（動画像）の撮影が行われる。また、アトラクション設備内を移動する乗り物６０が通過するのをセンサ１２０で検出し撮影制御装置１３０がデジタルスチルカメラ１１０に撮影を指示することで映像（静止画像）の撮影が行われる。
【０００８】
デジタルムービーカメラ１００およびデジタルスチルカメラ１１０で撮影された映像（画像）は撮影制御装置１３０で撮影された日時とアトラクション施設を識別する情報が付加された後にネットワーク１９０を介して映像データベース１４０に格納される。
【０００９】
アトラクションを楽しんだ利用者（購入者）５０は、アトラクション設備の出口付近に複数台設置されたパーソナルコンピュータなどの編集端末装置１５０を使って、アトラクション施設内で撮影された映像データをネットワーク１９０を介して映像データベース１４０より読出し、必要な映像データを選択編集して映像データの購入者５０のパソコン２０および購入者５０が指定した複数の受取り者のパソコン３０への配信を依頼する。
【００１０】
編集端末装置１５０は映像データの配信依頼を受付けると、映像データ購入者５０が編集した編集映像をネットワーク１９０を介してゲートウェイ装置１６０に接続されている映像配信サーバ１７０に映像配信の為の設定情報と共に転送し、映像配信データベース１８０に格納する。
【００１１】
映像配信サーバ１７０は、編集映像の配信依頼を受付け、電子メールでの配信依頼については、電子メールを生成して編集映像を電子メールに添付して指定のメールアドレスに電子メールを配信する。映像配信サーバ１７０から配信された編集映像はインターネット（ネットワーク）４０を介して購入者パソコン２０および購入者５０が指定した受取り者のパソコン３０に配信される。
【００１２】
購入者５０が配信依頼で一定期間の保管を選択した場合は、映像配信データベース１８０に格納された編集映像データをインターネット４０を介して読み出すためのＩＤとパスワードを発行する。購入者５０は後日にパソコン２０を操作して映像配信システム１０から編集映像を受信できる。
【００１３】
次に動作を説明する。まず、図２に示すフローチャートを用いて映像購入者（施設利用者）５０と映像配信サービスを運営する映像販売者６０の動作を説明する。
【００１４】
映像購入者５０がステップＳ２００において娯楽施設内のアトラクション設備の窓口で映像販売者６０に映像撮影依頼を行うと、映像販売者６０はステップＳ３００で購入者５０からの映像撮影依頼を受理する。ステップＳ２１０で映像購入者５０がアトラクション設備内で行われるアトラクションに参加すると、映像販売者６０は映像購入者５０がアトラクション内で乗車する乗り物の進行順に購入者５０を含めた映像データとしてアトラクションを撮影する。
【００１５】
映像購入者５０の撮影は図１０のようにして行われる。図１０は撮影風景の様子を示している。
【００１６】
映像購入者５０を含む家族の撮影は、アトラクション設備内を移動する乗り物６０が通過するのをセンサ１２０で検出し撮影制御装置９２０がデジタルムービーカメラ９１０に撮影を開始する指示を与え、一定の時間で撮影終了の指示を送ることで映像（動画像）の撮影が行われる。センサ１２０は利用者５０が撮影位置に到達したことを検出している。また、アトラクション設備内を移動する乗り物６０が通過するのをセンサ１２０で検出して撮影制御装置９５０がデジタルスチルカメラ１１０に撮影を指示して画像（静止画像）の撮影が行われる。
【００１７】
さて、図２に戻り、デジタルカメラ１００、１１０で撮影された映像データはステップＳ３２０においてネットワーク１９０を介して順次映像データベース１４０に格納される。映像データベース１４０にはステップＳ３３０で撮影結果の映像一覧表が作成される。
【００１８】
購入者５０はアトラクションが終了した時点のステップＳ２２０でアトラクション設備の出口付近に設置された編集端末装置１５０によって撮影結果を確認する。購入者５０がステップＳ２３０において撮影結果である映像データの購入を決定するとステップＳ２４０に移行して撮影された映像データを編集する。購入者５０がステップＳ２３０で映像データの購入しないと判断すると処理を終了する。
【００１９】
一方、販売者６０は購入者５０がステップＳ２３０で映像データの購入を決定するとステップＳ３４０でそのことを判定し、ステップＳ３５０において購入者５０が編集作成した最終結果である編集映像を作成する。ステップＳ３４０で購入しないと判定すると処理を終了する。なお、ステップＳ２３０の映像データの購入決定は購入者５０が判断するのであるが、理解を容易にするために販売者６０の処理にも記載している。
【００２０】
購入者５０はステップＳ２４０で編集映像を作成するとステップＳ２５０に移行して編集映像の配信形態を設定する。販売者６０はステップＳ３６０において購入者５０がステップＳ２５０で設定した配信形態に基づく編集映像を処理する。販売者６０はステップＳ３７０で編集映像（配信映像）のデータ容量と配信形態利用を考慮した料金計算と請求を購入者５０に行い、購入者５０はステップＳ２６０で料金を支払い終了する。
【００２１】
図３に図２のステップＳ２２０の撮影結果である複数の映像データを確認選択するフローチャートを示す。
【００２２】
編集端末装置１５０には図６に示す撮影結果選択一覧画面５００が表示される。一覧画面５００には、アトラクションの名前を示す撮影場所５１０、アトラクションに参加した時間を選択するための時間選択メニュー５２０が表示され、デジタルムービーカメラ１００で撮影された映像データ（動画像）の映像サムネイル（縮小映像）５３０と映像データ５３０の開始時間、撮影時間、容量を示す映像ファイル属性５４０が表示される。
【００２３】
また、デジタルスチルカメラ１１０で撮影された画像データ（静止画像）の画像サムネイル５５０と画像データ５５０の撮影時間、容量を示す画像ファイル属性５６０も表示される。一覧画面５００の右上には撮影結果選択一覧画面５００での操作を終わらせる次へのボタン５８０も表示される。
【００２４】
編集端末装置１５０には図６に示す撮影結果選択一覧画面５００の撮影場所５１０と撮影時間５２０が表示されている。映像購入者５０は、最初にステップＳ２２１においてアトラクションに参加した時間を時間選択メニュー５２０から選択する。アトラクション参加時間は購入者５０を特定することになり、購入者ＩＤにすることもできる。
【００２５】
アトラクション参加時間を選択すると映像データ（画像データ）の映像（画像）サムネイル５３０、５５０とその属性５４０、５６０が表示される。図６はカット１〜３のサムネイル５３０、５５０が表示されている例を示している。購入者５０はステップＳ２２２において撮影された映像データの一覧をチェックし、ステップＳ２２３で購入候補ありと判断するとステップＳ２２４に移行して画面表示されているサムネイル５３０をクリックして選択する。
【００２６】
動画像の映像サムネイル５３０を選択するとステップＳ２２５で撮影時間（例えば、１８．５秒）だけ編集端末装置１５０の画面に再生して表示され、またステップＳ２２４で静止画像の画像サムネイル５５０を選択すると拡大して表示される。ステップＳ２２５からステップＳ２２６に移り映像データ（動画像）の再生あるいは画像データ（静止画像）の拡大表示の終了時、購入の確認するポップアップ画面が表示され購入候補を選択する。購入候補として選択された映像（画像）データはステップＳ２２７において映像配信データベース１８０に格納される。
【００２７】
このようなステップＳ２２２〜Ｓ２２７繰返し実行することによって購入者５０が必要な映像データを選択し編集することができる。購入候補として選択すると、例えば、図６のカット３の映像サムネイル５３０を購入候補として選択するとハッチングを施したように識別表示される。撮影結果選択一覧画面５００による映像データの確認選択操作は次へのボタン５８０をクイックすることにより終了する。
【００２８】
図４に図２のステップＳ２４０の映像編集のフローチャートを示す。
【００２９】
編集端末装置１５０には図７に示すオープニング映像選択一覧画面６００が表示される。一覧画面６００には映像データであるオープニング映像サムネイル６１０とその映像データの再生時間、容量を示すオープニング映像ファイル属性６２０が表示される。また、オープニング映像選択一覧画面６００での操作を終了させる次へのボタン６４０も表示されている。
【００３０】
映像購入者５０はステップＳ２４１において図７に示す複数のオープニング映像サムネイル６１０から一つを選択するとオープニング映像が再生表示される。購入者５０は再生表示されるオープニング映像の撮影結果を確認し、映像データ再生表示の終了時に購入の確認するポップアップ画面が表示されオープニング映像を選択する。選択されたオープニング映像６１０は、カット２のサムネイルにハッチングを施したように識別表示される。
【００３１】
ステップＳ２４２では予め用意されたタイトル文字一覧からタイトル文字を選択した後にステップＳ２４３において複数のクロージング映像のサムネイルから一つのクロージング映像を選択する。ステップＳ２４４に移行しステップＳ２４１、Ｓ２４２で選択された映像とタイトル文字を使い、撮影時間順に並べた映像データに選択したオープニング映像とタイトル、クロージング映像を挿入し最終結果の編集映像とする。
【００３２】
購入者５０はステップＳ２４５において一つの映像データとなった編集映像を確認し、ステップＳ２４６で確認ＯＫと判断すると最終結果の編集映像を映像配信データベース１８０に格納する。また、ステップＳ２４６で最終結果の編集映像が不満（ＮＧ）であればステップＳ２４１〜Ｓ２４６の処理を繰返し行い購入者５０が満足する映像データに編集する。
【００３３】
図５に図２のステップＳ２５０示す編集映像の配信形態設定のフローチャートを示す。
【００３４】
編集端末装置１５０には図８に示す配信形態設定画面７００が表示される。配信形態設定画面７００には配信形態を選択するチェックボタン７１０、配信形態名称７２０、配信形態に対するコメント７３０、配信形態を選択したことを表すチェックボタン７４０、配信形態設定画面７００での操作を終了させる次へのボタン７５０が表示される。
【００３５】
購入者５０はステップＳ２５１において映像データの編集映像を、例えば、映像配信サーバ１７０に一定期間格納するかメール配信するかの配信形態をチェックボタン７１０により選択する。サーバへの保管を設定すると、チェックボタン７１０はチェックボタン７４０のように表示形態が変化する。
【００３６】
映像配信サーバ１７０に格納する場合は、ステップＳ２５２に移行してユーザＩＤとパスワードを決定する。ステップＳ２５３では複数存在する映像データのフォーマット形式から編集映像のフォーマット形式を選択する。編集映像のフォーマット形式選択は次のようにして行われる。
【００３７】
編集端末装置１５０には図９に示すフォーマット選択画面８００が表示される。画面８００には、フォーマット形式を選択するチェックボタン８１０、フォーマット形式名称８２０、フォーマット形式に対するコメント８３０、フォーマット形式を選択したことを表すチェックボタン８４０、フォーマット選択画面８００での操作を終了させる次へのボタン８５０が表示される。
【００３８】
フォーマット選択画面８００のフォーマット形式を選択するチェックボタン８１０を選択する。選択されたチェックボタン８１０はフォーマット形式を選択したことを表すためにチェックボタン８４０のように表示形態が変化する。そして、次へのボタン８５０を操作することにより配信するフォーマット形式を指定することができる。
【００３９】
このようにステップＳ２５３で編集映像のフォーマット形式を設定したらステップＳ２５４に移行して映像データ（動画像、静止画像）の編集映像を映像配信サーバ１７０に格納することを指示する。
【００４０】
一方、ステップＳ２５１でメール配信を選択した場合は、ステップＳ２５６において購入者５０の本人あるいはその他の知人のパソコン２０、３０のメールアドレスを入力する。ステップＳ２５７ではステップＳ２５３と同様にして複数存在する映像データのフォーマット形式から編集映像のフォーマット形式を選択する。ステップＳ２５８に移行して編集映像を指定メールアドレスに添付し送信することを指示する。
【００４１】
映像購入者５０は、ステップＳ２５５で更に配信すべき配信先があると判断した場合にはステップＳ２５１〜Ｓ２５８の処理を繰返し実行することにより購入者５０が必要とする配信先に配信することができる。
【００４２】
このようにして施設の利用者の映像を行うのであるが、利用者が施設内に配置した撮影手段によって撮影されたデジタル映像編集した編集映像を、利用者本人の情報端末を含む配信先に配信するようにしているので、デジタルカメラを持ち歩くことなく利用者の必要とする映像を得ることができる。
【００４３】
なお、上述の実施例は動画像と静止画像の両者の映像を撮影するようにしているが、動画像のみの映像あるいは静止画像のみの映像を撮影して配信するようにしても良いことは勿論のことである。
【００４４】
また、上述の実施例はテーマパークなどの施設のアトラクション設備を利用した利用者を対象としたサービスについて説明したが、スキー場に設置された競技コースでの滑走を撮影し配信するサービス、ボーリング場での投球シーンなど多くのスポーツシーンでの撮影をサービス、ゴルフ場での撮影をサービスなどに採用しても同様な効果を奏し得ることは明らかなことである。
【００４５】
【発明の効果】
本発明は利用者が施設内に配置した撮影手段によって撮影されたデジタル映像編集した編集映像を、利用者本人の情報端末を含む配信先に配信するようにしているので、デジタルカメラを持ち歩くことなく利用者の必要とする映像を得ることができる。
【図面の簡単な説明】
【図１】本発明の一実施例を示す構成図である。
【図２】本発明の動作を説明するためのフローチャートである。
【図３】本発明の動作を説明するためのフローチャートである。
【図４】本発明の動作を説明するためのフローチャートである。
【図５】本発明の動作を説明するためのフローチャートである。
【図６】本発明の撮影結果選択一覧画面の一例を示す図である。
【図７】本発明のオープニング映像選択一覧画面の一例を示す図である。
【図８】本発明の配布形態設定画面の一例を示す図である。
【図９】本発明のフォーマット選択画面の一例を示す図である。
【図１０】本発明を説明するための撮影風景の概念図である。
【符号の説明】
１０…映像配信システム、２０…購入者のパソコン、３０…受取り者のパソコン、１００…デジタルムービーカメラ、１１０…デジタルスチルカメラ、１２０…センサ、１３０…撮影制御装置、１４０…映像データベース、１５０…編集端末装置、１６０…ゲートウェイ装置、１７０…映像配信サーバ、１８０…映像配信データベース。
【図１】
2004164496.tif 000003
【図２】
2004164496.tif 000004
【図３】
2004164496.tif 000005
【図４】
2004164496.tif 000006
【図５】
2004164496.tif 000007
【図６】
2004164496.tif 000008
【図７】
2004164496.tif 000009
【図８】
2004164496.tif 000010
【図９】
2004164496.tif 000011
【図１０】
2004164496.tif 000012